(57)【要約】【課題】バンド全体の捩じれに対しても十分な強度を確保でき、且つ肌触りが良く、腕に良好にフィットさせる。【解決手段】駒体１の凹部４に連結駒２を配置してピン部材３で連結する腕時計バンドにおいて、駒体１が、ピン部材３の両端部を係止する係止孔８が設けられた一対の側壁部１２、およびこれら側壁部１２を連結する連結部１３からなる補強部材１０を備え、この補強部材１０の全表面に軟質合成樹脂からなる外装部材を１１設けた構成になっている。従って、外装部材１１の感触により肌触りが良く、バンド全体を湾曲させるときに、外装部材１１の弾性変形により駒体１同士を柔軟に曲げることができ、腕に良好にフィットさせることができる。また、バンド全体に捩じれ方向の外力が加わっても、補強部材１０によって駒体１全体の変形を防いでピン部材３の外れを防止し、これによりバンド全体の捩じれに対する強度を十分に確保できる。【選択図】        図３
2005034293.tif 000002
【特許請求の範囲】
【請求項１】
連結方向の両側に凹部が設けられた駒体と、この駒体の前記凹部とこれに隣接する他の駒体の凹部との間にその両方に跨って配置される連結駒と、この連結駒の前記連結方向の両側にその連結方向と直交するバンド幅方向に貫通して両端部が前記駒体にそれぞれ係止されることにより前記駒体と前記連結駒とを連結するピン部材とを備えたバンドにおいて、
前記駒体は、前記バンド幅方向の両側に位置して前記連結駒を貫通した前記ピン部材の両端部を係止する係止部が設けられた一対の側壁部と、これら一対の側壁部を連結する連結部とからなる補強部材を備え、この補強部材の全表面に軟質合成樹脂からなる外装部材を設けたことを特徴するバンド。
【請求項２】
前記駒体の下面は、前記連結駒の下面よりも下側に位置していることを特徴する請求項１に記載のバンド。
【発明の詳細な説明】
【０００１】
【発明の属する技術分野】
この発明は、腕時計バンドなどのバンドに関する。
【０００２】
【従来の技術】
従来、腕時計バンドには、駒体の両側に凹部を設け、この駒体の凹部とこれに隣接する駒体の凹部とを対向させ、これら駒体の対向する凹部内にその両方の凹部に跨って連結駒を配置し、この状態で駒体と連結駒とをピン部材でそれぞれ連結することにより、隣接する駒体同士を連結駒で連結するようにしたものがある（例えば、特許文献１参照。）。
【０００３】
【特許文献１】
実開平６−２９４１０号公報
【０００４】
【発明が解決しようとする課題】
しかしながら、この特許文献１の腕時計バンドでは、駒体と連結駒との両方が金属で形成されていると、肌触りが悪いばかりか、互いに隣接する駒体同士を十分に曲げるために、隣接する駒体の間隔、および駒体と連結駒との連結方向の間隔を広くしなければならず、このため腕にフィットしにくいという問題がある。また、このような腕時計バンドでは、連結駒を金属で形成し、駒体をウレタン樹脂などの軟質合成樹脂で形成すると、上記のような問題を解消することはできるが、バンド全体に捩じれ方向の外力が必要以上に加わると、駒体が弾性変形してピン部材が駒体から外れてしまうという問題がある。
【０００５】
この発明の課題は、バンド全体の捩じれに対しても十分な強度を確保でき、且つ肌触りが良く腕に良好にフィットさせることができるようにすることである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図８に示すように、連結方向の両側に凹部（４）が設けられた駒体（１）と、この駒体の前記凹部とこれに隣接する他の駒体の凹部との間にその両方に跨って配置される連結駒（２）と、この連結駒の前記連結方向の両側にその連結方向と直交するバンド幅方向に貫通して両端部が前記駒体にそれぞれ係止されることにより前記駒体と前記連結駒とを連結するピン部材（３、１６）とを備えたバンドにおいて、前記駒体は、前記バンド幅方向の両側に位置して前記連結駒を貫通した前記ピン部材の両端部を係止する係止部（係止孔８）が設けられた一対の側壁部（１２）と、これら一対の側壁部を連結する連結部（１３）とからなる補強部材（１０）を備え、この補強部材の全表面に軟質合成樹脂からなる外装部材（１１）を設けたことを特徴するバンドである。
【０００７】
この発明によれば、駒体が、ピン部材の両端部を係止する係止部が設けられた一対の側壁部と、これら一対の側壁部を連結する連結部とからなる補強部材を備え、この補強部材の全表面に軟質合成樹脂からなる外装部材を設けた構成であるから、軟質合成樹脂からなる外装部材の感触により肌触りが良く、しかも互いに隣接する駒体同士の間隔、および駒体と連結駒との連結方向の間隔を狭くしても、バンド全体を湾曲させて曲げるときに、隣接する駒体同士および互いに隣接する駒体と連結駒とが相互に当接しても、軟質合成樹脂からなる外装部材が弾性変形するので、駒体同士を柔軟に且つ十分に曲げることができ、これにより腕に良好にフィットさせることができる。また、駒体が補強部材を備えていることにより、バンド全体に捩じれ方向の外力が加わっても、補強部材によって駒体全体の変形を確実に防ぐことができ、しかも補強部材の側壁部に設けられた係止部でピン部材を係止しているので、バンド全体に捩じれ方向の外力が加わっても、補強部材の側壁部が変形しにくいため、ピン部材が駒体から外れることがなく、ピン部材を確実に保持することができ、これによりバンド全体の捩じれに対する強度を十分に確保することができる。
【０００８】
請求項２に記載の発明は、図４に示すように、前記駒体（１）の下面が、前記連結駒（２）の下面よりも下側に位置していることを特徴する請求項１に記載のバンドである。
この発明によれば、駒体の下面が連結駒の下面よりも下側に位置していることにより、連結駒を金属で形成しても、腕に装着したときに、連結駒が腕にほとんど接触せず、駒体の外装部材の下面が常に腕に接触するので、腕に装着したときの肌触りが良く、より一層、腕にフィットさせることができる。
【０００９】
【発明の実施の形態】
以下、図１〜図５を参照して、この発明を腕時計バンドに適用した一実施形態について説明する。
図１はこの発明の腕時計バンドを示した要部の平面図、図２はその側面図、図３は図２のＡ−Ａ矢視における断面図、図４は図３のＢ−Ｂ矢視における断面図、図５は図３および図４の駒体の補強部材を示した斜視図である。
この腕時計バンドは、複数の駒体１と、これら駒体１の各間にそれぞれ配置される複数の連結駒２と、これら連結駒２をそれぞれ各駒体１に連結するピン部材３とを備えている。
【００１０】
この場合、駒体１は、図１に示すように、バンドの長手方向である連結方向の両側に凹部４が設けられ、これにより全体が上面側から見てほぼエ字形状に形成されている。連結駒２は、硬質材料である金属からなり、全体がほぼ平板状に形成され、互いに隣接し合う駒体１における互いに対向する凹部４内にその両方に跨って配置されるように構成されている。すなわち、この連結駒２は、図１に示すように、その連結方向と直交するバンド幅方向（図１では上下方向）の長さが駒体１の凹部４のバンド幅方向とほぼ同じで、連結方向の長さが駒体１の凹部４における連結方向の長さのほぼ２倍の長さで形成されている。
【００１１】
また、この連結駒２における連結方向の両側には、図３に示すように、ピン部材３が挿入する挿入孔５がそれぞれバンド幅方向（図３では上下方向）に貫通して設けられている。このピン部材３は、図３に示すように、連結駒２の挿入孔５に挿入する金属筒６と、この金属筒６の両端からばね力によって出没可能に突出するばねピン７とからなるばね棒であり、ばねピン７が後述する駒体１の係止孔８に係脱可能に挿入して係止されるように構成されている。
【００１２】
ところで、駒体１は、図３〜図５示すように、金属などの硬質材料からなる補強部材１０と、この補強部材１０の全表面に肉付けされた状態で設けられるウレタン樹脂などの軟質合成樹脂からなる外装部材１１とからなり、この外装部材１１内に補強部材１０をインサート成形した構造になっている。すなわち、補強部材１０は、図３および図５に示すように、バンド幅方向の両側に位置する一対の側壁部１２と、これら一対の側壁部１２を連結する連結部１３とを一体に形成することにより、全体がほぼエ字形状に形成された構造になっている。
【００１３】
この場合、一対の側壁部１２は、図４に示すように、その高さ方向（同図では上下方向）の長さが連結駒２の厚みとほぼ同じ大きさで形成されており、これら一対の側壁部１２における連結方向の両端部には、連結駒２の挿入孔５を貫通したピン部材３の両端部つまりピン部材３の両端のばねピン７を係止する係止孔８がそれぞれ対向して設けられている。連結部１３は、一対の側壁部１２の中間部においてその両方の上部に架け渡され、これにより一対の側壁部１２を強固に連結するように構成されている。外装部材１１は、補強部材１０の全表面に肉付けされて設けられ、全体が上面側から見てほぼエ字形状に形成され、これにより連結方向の両側に凹部４が形成された構成になっている。
【００１４】
また、この外装部材１１は、全体の厚みが図４に示すように連結駒２の厚みよりも十分に厚く形成されており、互いに接近し合う外装部材１１の連結方向の両端面は、図２および図４に示すように、ほぼ円弧状に形成されている。さらに、この外装部材１１の凹部４における各対向面には、ピン部材３の両端のばねピン７が挿入する挿入孔１４が一対の側壁部１２の各係止孔８に対応して設けられている。この挿入孔１４は、外装部材１１の凹部４の内面側のみに設けられ、バンド幅方向における両端面から外部に露出しないように設けられている。
【００１５】
このような腕時計バンドを組み立てる場合には、まず、連結駒２における連結方向の両側に設けられた各挿入孔５にピン部材３をそれぞれ挿入し、各ピン部材３の両端部をそれぞれ連結駒２から突出させる。すなわち、ピン部材３の金属筒部６を連結駒２の挿入孔５に挿入して貫通させ、この金属筒６の両端部に出没可能に設けられたばねピン７を連結駒２から突出させる。この状態で、２つの連結駒２を駒体１の連結方向の両側に設けられた各凹部４内にそれぞれ配置する。このときには、連結駒２から突出したピン部材３のばねピン７をそのばね力に抗して金属筒６内に押し込み、この状態で連結駒２を駒体１の凹部４内に配置する。
【００１６】
そして、連結駒２の各ばねピン７が駒体１に設けられた各挿入孔１４および各係止孔８に対応すると、各ばねピン７が駒体１の挿入孔１４を通して係止孔８に係止される。すなわち、ばねピン７は、そのばね力によって押し出され、駒体１の係止部８である外装部材１１の挿入孔１４を通り抜けて補強部材１０の側壁部１２の係止孔８に挿入して係止される。これにより、２つの連結駒２がそれぞれ駒体１から突出した状態で駒体１の凹部４内に回動自在に取り付けられ、この凹部４から突出した部分の連結駒２を隣接する他の駒体１の凹部４に挿入させて、上記と同様にピン部材３で連結する。これにより、２つの駒体１が連結駒２によって連結され、この作業を順次繰り返すことにより、腕時計バンドが構成される。
【００１７】
このような腕時計バンドによれば、駒体１が、ピン部材３の両端部を係止する係止孔８が設けられた一対の側壁部１２と、これら一対の側壁部１２を連結する連結部１３とからなる補強部材１０を備え、この補強部材１０の全表面に軟質合成樹脂からなる外装部材１１をインサート成形によって形成した構成であるから、軟質合成樹脂からなる外装部材１１の感触により肌触りが良く、しかも隣接し合う駒体１の間隔、および駒体１と連結駒２との連結方向の間隔を狭くしても、バンド全体を湾曲させて曲げるときに、隣接する駒体１同士および互いに隣接する駒体１と連結駒２とが相互に当接しても、軟質合成樹脂からなる外装部材１１が弾性変形するので、駒体１同士を柔軟に且つ十分に曲げることができ、これにより腕に良好にフィットさせることができる。
【００１８】
この場合、駒体１が補強部材１０を備えているので、バンド全体に捩じれ方向の外力が加わっても、補強部材１０によって駒体１全体の変形を確実に防ぐことができ、しかも補強部材１０の側壁部１２に設けられた係止孔８にピン部材３の両端部が係止されているので、バンド全体に捩じれ方向の外力が加わっても、側壁部１２が変形しないため、ピン部材３が駒体１から外れることがなく、ピン部材３を強固に保持することができ、これによりバンド全体の捩じれに対する強度を十分に確保することができる。また、駒体１は、その下面が連結駒２の下面よりも下側に位置しているので、連結駒２を金属材料で形成しても、腕に装着したときに、連結駒２が腕にほとんど接触せず、駒体１の外装部材１１の下面が常に腕に接触するので、腕に装着したときの肌触りが良く、より一層、腕にフィットさせることができる。
【００１９】
なお、上記実施形態では、駒体１の補強部材１０の連結部１３が単純な帯板状に形成されている場合について述べたが、これに限らず、例えば図６に示す第１変形例のように、補強部材１０の連結部１５は、平板の両側に側板を一体に形成した構造でも良い。この場合には、駒体１における両側の凹部４、４間の幅、つまり凹部４、４間における連結方向の長さを上記実施形態よりも十分に広くすれば良い。このような構造にすれば、一対の側壁部１２間に平板と両側の側板とからなる連結部１５が架け渡されるので、より一層、補強部材１０が堅固なものとなり、バンド全体の捩じれに対する強度を更に高めることができる。
【００２０】
また、上記実施形態では、ピン部材３が、金属筒６の両端部にばねピン７を出没可能に取り付けたばね棒で構成されている場合について述べたが、これに限らず、例えば図７および図８に示す第２変形例のように、単純な丸棒状のピン部材１６を用いても良い。この場合には、駒体１の外装部材１１にピン部材１６が挿入する挿入孔１７を凹部４の内面から外面に貫通させて設ければ良い。このような構造では、ピン部材１６を駒体１の外部から挿入孔１７に挿入させて、補強部材１０の側壁部１２に設けられた係止孔８に挿入させると共に、連結駒２の挿入孔５に挿入させることができるので、駒体１と連結駒２との連結作業が容易にできるばかりか、ピン部材１６の構造が簡単であるから、ピン部材１６を安価に製作でき、バンド全体の低コスト化をも図ることができる。
【００２１】
さらに、上記実施形態およびその各変形例では、連結駒２の硬質材料として、金属材料を用いた場合について述べたが、これに限らず、例えばセラミックや硬質合成樹脂などの材料を用いても良い。
なおまた、上記実施形態およびその各変形例では、腕時計バンドに適用した場合について述べたが、これに限らず、洋服のバンドや鞄のバンドなど他のバンドにも広く適用することができる。
【００２２】
【発明の効果】
以上説明したように、この発明によれば、連結方向の両側に凹部が設けられた駒体と、この駒体の凹部に配置される連結駒と、この連結駒の連結方向の両側にそのバンド幅方向に貫通して両端部が駒体にそれぞれ係止されることにより駒体と連結駒とを連結するピン部材とを備えたバンドにおいて、駒体が、ピン部材の両端部を係止する係止部が設けられた一対の側壁部と、これら一対の側壁部を連結する連結部とからなる補強部材を備え、この補強部材の全表面に軟質合成樹脂からなる外装部材を設けた構成であるから、軟質合成樹脂からなる外装部材の感触により肌触りが良く、しかも互いに隣接する駒体同士の間隔、および駒体と連結駒との連結方向の間隔を狭くしても、バンド全体を湾曲させて曲げるときに、隣接する駒体同士および互いに隣接する駒体と連結駒とが相互に当接しても、軟質合成樹脂からなる外装部材が弾性変形するので、駒体同士を柔軟に且つ十分に曲げることができ、これにより腕に良好にフィットさせることができる。
【００２３】
また、駒体が補強部材を備えていることにより、バンド全体に捩じれ方向の外力が加わっても、補強部材によって駒体全体の変形を確実に防ぐことができ、しかも補強部材の側壁部に設けられた係止部でピン部材を係止しているので、バンド全体に捩じれ方向の外力が加わっても、補強部材の側壁部が変形しないため、ピン部材が駒体から外れることがなく、ピン部材を確実に保持することができ、これによりバンド全体の捩じれに対する強度を十分に確保することができる。この場合、駒体の下面が連結駒の下面よりも下側に位置していることにより、腕に装着したときに、連結駒を金属で形成しても、腕に装着したときに、連結駒が腕にほとんど接触せず、駒体の外装部材の下面が常に腕に接触するため、腕に装着したときの肌触りが良く、より一層、腕にフィットさせることができる。
【図面の簡単な説明】
【図１】この発明を腕時計バンドに適用した一実施形態を示した要部の平面図。
【図２】図１の側面図。
【図３】図２のＡ−Ａ矢視における断面図。
【図４】図３のＢ−Ｂ矢視における断面図。
【図５】図３および図４の駒体の補強部材を示した斜視図。
【図６】図５の補強部材の第１変形例を示した斜視図。
【図７】この発明の第２変形例を示した腕時計バンドの要部の側面図。
【図８】図７のＣ−Ｃ矢視における断面図。
【符号の説明】
１  駒体
２  連結駒
３、１６  ピン部材
４  凹部
５  連結駒の挿入孔
８  係止孔
１０  補強部材
１１  外装部材
１２  側壁部
１３、１５  連結部
１４、１７  外装部材の挿入孔
【図１】
2005034293.tif 000003
【図２】
2005034293.tif 000004
【図３】
2005034293.tif 000005
【図４】
2005034293.tif 000006
【図５】
2005034293.tif 000007
【図６】
2005034293.tif 000008
【図７】
2005034293.tif 000009
【図８】
2005034293.tif 000010